(57)【要約】【課題】  受信された情報がいずれの領域に記録されているかが明確になる。【解決手段】  ハードディスクビデオレコーダは、チューナ１３０およびアンテナ１９０と、録画領域およびタイムシフト領域を有するハードディスク１４４と、情報記録ヘッド１４２と、ＭＰＥＧデコーダ１３６と、ＯＳＤ画像生成回路１１４と、受光部１２４と、システム制御回路１１０と、出力部１３８とを含む。システム制御回路１１０は、受光部１２４が所定の指示を受付けると、映像をタイムシフト領域に記録するか否かを確認する機能と、映像をタイムシフト領域に記録する旨の指示を受付けると、映像をタイムシフト領域に記録する機能とを含む。【選択図】        図１
2005151209.tif 000002
【特許請求の範囲】
【請求項１】
映像を含む映像情報を受信するための受信手段と、
前記映像情報を記録する第１の領域、および前記映像情報を一定の周期で上書きして記録する第２の領域を有する、ハードディスクと、
前記ハードディスクに対して前記映像情報を記録し、かつ前記ハードディスクに記録された映像情報を読出すための記録読出手段と、
前記記録読出手段が読出した情報に基づいて、映像を表示する信号を生成するための第１の生成手段と、
文字を表示する信号を生成するための第２の生成手段と、
ユーザの指示を受付けるための受付手段と、
前記第２の生成手段および前記記録読出手段を制御するための制御手段と、
前記第１の生成手段が生成した信号、および前記第２の生成手段が生成した信号を合成して出力するための出力手段とを含み、
前記制御手段は、
前記映像情報が記録される領域が、前記第２の領域とは異なる第１の領域であって、前記記録読出手段が、前記第１の領域から情報を読出している場合に、前記受付手段が所定の指示を受付けると、前記映像情報を前記第２の領域に記録するか否かを確認する確認信号を生成するように、前記第２の生成手段を制御するための第１の手段と、
前記確認信号が生成された後に、前記受付手段が、前記映像情報を前記第２の領域に記録する旨の指示を受付けると、前記映像情報を前記第２の領域に記録するように、前記記録読出手段を制御するための第２の手段とを含む、ハードディスクビデオレコーダ。
【請求項２】
映像を含む映像情報を受信するための受信手段と、
前記映像情報を記録する第１の領域および前記映像情報を一定の周期で上書きして記録する第２の領域を含み、かつ記録位置に基づき前記映像情報を読出し可能な記録媒体に対して、前記映像情報を記録し、かつ前記記録媒体に記録された映像情報を読出すための記録読出手段と、
前記記録読出手段が読出した情報に基づいて、映像を表示する信号を生成するための第１の生成手段と、
文字を表示する信号を生成するための第２の生成手段と、
ユーザの指示を受付けるための受付手段と、
前記第２の生成手段および前記記録読出手段を制御するための制御手段と、
前記第１の生成手段が生成した信号、および前記第２の生成手段が生成した信号を合成するための合成手段とを含み、
前記制御手段は、
前記受付手段が所定の指示を受付けると、前記映像情報を、前記第２の領域に記録するか否かを確認する、確認信号を生成するように、前記第２の生成手段を制御するための第１の手段と、
前記確認信号が生成された後に、前記受付手段が、前記映像情報を前記第２の領域に記録する旨の指示を受付けると、前記映像情報を前記第２の領域に記録するように、前記記録読出手段を制御するための第２の手段とを含む、データ記録再生装置。
【請求項３】
前記第１の手段は、前記記録読出手段が前記第２の領域とは異なる第１の領域に前記映像情報を記録している場合に、前記受付手段が前記所定の指示を受付けると、前記確認信号を生成するように制御するための手段を含む、請求項２に記載のデータ記録再生装置。
【請求項４】
前記第１の手段は、前記記録読出手段が前記第２の領域とは異なる第１の領域に前記映像情報を記録している場合であって、前記記録読出手段が、前記第１の領域から情報を読出している場合に、前記受付手段が前記所定の指示を受付けると、前記確認信号を生成するように制御するための手段を含む、請求項２に記載のデータ記録再生装置。
【請求項５】
前記制御手段は、前記記録読出手段が前記第２の領域に前記映像情報を記録している場合に、前記受付手段が前記所定の指示を受付けると、前記記録読出手段が前記第２の領域に前記映像情報を記録している旨の信号を生成するように、前記第２の生成手段を制御するための第３の手段をさらに含む、請求項２に記載のデータ記録再生装置。
【請求項６】
映像を含む映像情報を受信する受信ステップと、
前記映像情報を記録する第１の領域および前記映像情報を一定の周期で上書きして記録する第２の領域を含み、かつ記録位置に基づき情報を読出し可能な記録媒体に対して、前記映像情報を記録する装置を用いて、前記映像情報を記録する記録ステップと、
前記記録媒体に記録された映像情報を読出す読出ステップと、
前記読出ステップにおいて読出した情報に基づいて、映像を表示する信号を生成する第１の生成ステップと、
ユーザの指示を受付ける第１の受付ステップと、
前記第１の受付ステップにおいて所定の指示を受付けると、前記映像情報を、前記第２の領域に記録するか否かを確認する、確認信号を生成する第２の生成ステップと、
前記第１の生成ステップにおいて生成した信号、および前記第２の生成ステップにおいて生成した信号を合成する合成ステップと、
前記映像情報を前記第２の領域に記録する旨の指示を受付ける第２の受付ステップと、
前記確認信号が生成された後に、前記第２の受付ステップにおいて前記指示を受付けると、前記映像情報を前記第２の領域に記録するように、前記記録読出ステップを制御する制御ステップとを含む、データ記録再生方法。
【発明の詳細な説明】
【技術分野】
【０００１】
本発明はデータ記録再生装置、データ記録再生方法、およびハードディスクビデオレコーダに関し、特に追っかけ再生中ライブ表示に変更できるデータ記録再生装置、データ記録再生方法、およびハードディスクビデオレコーダに関する。
【背景技術】
【０００２】
録画中に他の映像を表示させることができるデータ記録再生装置が実用化されている。たとえばハードディスクビデオレコーダなどが、そのようなデータ記録再生装置の例である。そのようなデータ記録再生装置において、表示されている映像が録画済みのものか受信中のものかを（以下、受信中の映像を「ライブ映像」と称する。）ユーザに容易に知得させることは重要な要素となる。
【０００３】
たとえば、録画中にライブ映像を表示している場合（以下、ライブ映像を表示している状態を「ライブ状態」と称する。）、画面にメッセージを表示するなどの工夫がなされている。
【０００４】
具体的には、特許文献１には、受信中の番組とは別の番組の録画を中断するとき、または録画する番組を変更するとき、メッセージを表示する技術が開示されている。
【０００５】
しかしながら、特許文献１に開示されたように、メッセージを表示するのが、録画を中断するなどの際に過ぎない場合には、録画中のハードディスクビデオレコーダのユーザが、いつ受信された映像が画面に表示されているかを把握しにくいという問題がある。ビデオデッキなどは、録画済みの映像またはライブ映像しか表示させることができない。それらの映像しか表示させることができないので、ビデオデッキなどのユーザは、録画を中断するなどの際にメッセージが表示されると、直ちに録画済みの映像が表示されているかライブ映像が表示されているかが分かる。これに対し、ハードディスクビデオレコーダは、通常の録画をした映像、および受信中の映像に加え、受信中の番組の、既に受信した映像を表示させることができる（以下、既に受信した映像を表示させることを「追っかけ再生」と称する）。しかし、ハードディスクビデオレコーダのユーザは、表示されている映像が、通常の録画をした映像、追っかけ再生中の映像、およびライブ映像のいずれであるかを、容易に知ることができない。すなわちユーザは、表示されている映像がハードディスクビデオレコーダのいずれの領域に記録されている映像かを容易に知ることができない。これは、追っかけ再生中に録画を停止した場合も、ライブ状態で通常の録画を停止した場合も、表示されている映像をそのまま継続して表示させ続けることができる点に原因がある。
【特許文献１】特開２００３−１６９２６３号公報
【発明の開示】
【発明が解決しようとする課題】
【０００６】
本発明は上述の問題点を解決するためになされたものであって、その目的は、受信された情報がいずれの領域に記録されているかが明確になるデータ記録再生装置、データ記録再生方法、およびハードディスクビデオレコーダを提供することにある。
【課題を解決するための手段】
【０００７】
上記目的を達成するために、本発明のある局面にしたがうと、ハードディスクビデオレコーダは、映像を含む映像情報を受信するための受信手段と、映像情報を記録する第１の領域、および映像情報を一定の周期で上書きして記録する第２の領域を有する、ハードディスクと、ハードディスクに対して映像情報を記録し、かつハードディスクに記録された映像情報を読出すための記録読出手段と、記録読出手段が読出した情報に基づいて、映像を表示する信号を生成するための第１の生成手段と、文字を表示する信号を生成するための第２の生成手段と、ユーザの指示を受付けるための受付手段と、第２の生成手段および記録読出手段を制御するための制御手段と、第１の生成手段が生成した信号、および第２の生成手段が生成した信号を合成して出力するための出力手段とを含む。あわせて制御手段は、映像情報が記録される領域が、第２の領域とは異なる第１の領域であって、記録読出手段が、第１の領域から情報を読出している場合に、受付手段が所定の指示を受付けると、映像情報を第２の領域に記録するか否かを確認する確認信号を生成するように、第２の生成手段を制御するための第１の手段と、確認信号が生成された後に、受付手段が、映像情報を第２の領域に記録する旨の指示を受付けると、映像情報を第２の領域に記録するように、記録読出手段を制御するための第２の手段とを含む。
【０００８】
すなわち、受信手段は、映像を含む映像情報を受信する。ハードディスクの第１の領域は、映像情報を記録する。ハードディスクの第２の領域は、映像情報を一定の周期で上書きして記録する。記録読出手段は、ハードディスクに対して映像情報を記録し、かつハードディスクに記録された映像情報を読出す。第１の生成手段は、記録読出手段が読出した情報に基づいて、映像を表示する信号を生成する。第２の生成手段は、文字を表示する信号を生成する。受付手段は、ユーザの指示を受付ける。第１の手段は、映像情報が記録される領域が、第２の領域とは異なる第１の領域であって、記録読出手段が、第１の領域から情報を読出している場合に、受付手段が所定の指示を受付けると、映像情報を第２の領域に記録するか否かを確認する確認信号を生成するように、第２の生成手段を制御する。出力手段は、第１の生成手段が生成した信号、および第２の生成手段が生成した信号を合成して出力する。これにより、受信された映像情報がいずれの領域に記録されているかが明確になる。第２の手段は、確認信号が生成された後に、受付手段が、映像情報を第２の領域に記録する旨の指示を受付けると、映像情報を第２の領域に記録するように、記録読出手段を制御する。その結果、受信された情報がいずれの領域に記録されているかが明確になるハードディスクビデオレコーダを提供することができる。
【０００９】
本発明の他の局面にしたがうと、データ記録再生装置は、映像情報を受信するための受信手段と、映像情報を記録する第１の領域および映像情報を一定の周期で上書きして記録する第２の領域を含み、かつ記録位置に基づき映像情報を読出し可能な記録媒体に対して、映像情報を記録し、かつ記録媒体に記録された映像情報を読出すための記録読出手段と、記録読出手段が読出した情報に基づいて、映像を表示する信号を生成するための第１の生成手段と、文字を表示する信号を生成するための第２の生成手段と、ユーザの指示を受付けるための受付手段と、第２の生成手段および記録読出手段を制御するための制御手段と、第１の生成手段が生成した信号、および第２の生成手段が生成した信号を合成するための合成手段とを含む。制御手段は、受付手段が所定の指示を受付けると、映像情報を、第２の領域に記録するか否かを確認する、確認信号を生成するように、第２の生成手段を制御するための第１の手段と、確認信号が生成された後に、受付手段が、映像情報を第２の領域に記録する旨の指示を受付けると、映像情報を第２の領域に記録するように、記録読出手段を制御するための第２の手段とを含む。
【００１０】
すなわち、受信手段は、映像情報を受信する。記録読出手段は、映像情報を記録する第１の領域および映像情報を一定の周期で上書きして記録する第２の領域を含み、かつ記録位置に基づき映像情報を読出し可能な記録媒体に対して、映像情報を記録し、かつ記録媒体に記録された映像情報を読出す。第１の生成手段は、記録読出手段が読出した情報に基づいて、映像を表示する信号を生成する。第２の生成手段は、文字を表示する信号を生成する。受付手段は、ユーザの指示を受付ける。第１の手段は、受付手段が所定の指示を受付けると、映像情報を、第２の領域に記録するか否かを確認する、確認信号を生成するように、第２の生成手段を制御する。合成手段は、第１の生成手段が生成した信号、および第２の生成手段が生成した信号を合成する。これにより、受信された映像情報がいずれの領域に記録されているかが明確になる。第２の手段は、確認信号が生成された後に、受付手段が、映像情報を第２の領域に記録する旨の指示を受付けると、映像情報を第２の領域に記録するように、記録読出手段を制御する。その結果、受信された情報がいずれの領域に記録されているかが明確になるデータ記録再生装置を提供することができる。
【００１１】
また、上述の第１の手段は、記録読出手段が第２の領域とは異なる第１の領域に映像情報を記録している場合に、受付手段が所定の指示を受付けると、確認信号を生成するように制御するための手段を含むことが望ましい。
【００１２】
すなわち、第１の手段は、記録読出手段が第２の領域とは異なる第１の領域に映像情報を記録している場合に、受付手段が所定の指示を受付けると、確認信号を生成するように、第２の生成手段を制御する。これにより、確認信号が生成される時、映像情報が第１の領域に記録されていることが明確になる。その結果、受信された情報がいずれの領域に記録されているかがより明確になるデータ記録再生装置を提供することができる。
【００１３】
また、上述の第１の手段は、記録読出手段が第２の領域とは異なる第１の領域に映像情報を記録している場合であって、記録読出手段が、第１の領域から情報を読出している場合に、受付手段が所定の指示を受付けると、確認信号を生成するように制御するための手段を含むことが望ましい。
【００１４】
すなわち、第１の手段は、記録読出手段が第２の領域とは異なる第１の領域に映像情報を記録している場合であって、記録読出手段が、第１の領域から情報を読出している場合に、受付手段が所定の指示を受付けると、確認信号を生成するように、第２の生成手段を制御する。これにより、確認信号が生成される時、映像情報がいずれかの領域から読出され、かつ第１の領域に記録されていることが明確になる。その結果、受信された情報がいずれの領域に記録されているかがより明確になるデータ記録再生装置を提供することができる。
【００１５】
また、上述の制御手段は、記録読出手段が第２の領域に映像情報を記録している場合に、受付手段が所定の指示を受付けると、記録読出手段が第２の領域に映像情報を記録している旨の信号を生成するように、第２の生成手段を制御するための第３の手段をさらに含むことが望ましい。
【００１６】
すなわち、第３の手段は、記録読出手段が第２の領域に映像情報を記録している場合に、受付手段が所定の指示を受付けると、記録読出手段が第２の領域に映像情報を記録している旨の信号を生成するように、第２の生成手段を制御する。これにより、受信された映像情報がいずれの領域に記録されているかがさらに明確になる。その結果、受信された情報がいずれの領域に記録されているかがさらに明確になるデータ記録再生装置を提供することができる。
【００１７】
本発明の他の局面にしたがうと、データ記録再生方法は、映像を含む映像情報を受信する受信ステップと、映像情報を記録する第１の領域および映像情報を一定の周期で上書きして記録する第２の領域を含み、かつ記録位置に基づき情報を読出し可能な記録媒体に対して、映像情報を記録する装置を用いて、映像情報を記録する記録ステップと、記録媒体に記録された映像情報を読出す読出ステップと、読出ステップにおいて読出した情報に基づいて、映像を表示する信号を生成する第１の生成ステップと、ユーザの指示を受付ける第１の受付ステップと、第１の受付ステップにおいて所定の指示を受付けると、映像情報を、第２の領域に記録するか否かを確認する、確認信号を生成する第２の生成ステップと、第１の生成ステップにおいて生成した信号、および第２の生成ステップにおいて生成した信号を合成する合成ステップと、映像情報を第２の領域に記録する旨の指示を受付ける第２の受付ステップと、確認信号が生成された後に、第２の受付ステップにおいて指示を受付けると、映像情報を第２の領域に記録するように、記録読出ステップを制御する制御ステップとを含む。
【００１８】
すなわち、受信された情報がいずれの領域に記録されているかが明確になるデータ記録再生方法を提供することができる。
【発明の効果】
【００１９】
本発明に係るデータ記録再生装置、データ記録再生方法、およびハードディスクビデオレコーダは、受信された情報がいずれの領域に記録されているかが明確になる。
【発明を実施するための最良の形態】
【００２０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２１】
図１を参照して、本発明の実施の形態に係るデータ記録再生装置１００について説明する。図１は、データ記録再生装置１００の構成を表わすブロック図である。
【００２２】
このデータ記録再生装置１００は、システム制御回路１１０と、ＯＳＤ（On  Screen  Display）画像生成回路１１４と、操作部１２２と、受光部１２４と、計時回路１２６と、表示部１２８と、チューナ１３０と、ＭＰＥＧ（Moving Picture Experts Group）エンコーダ１３２と、ハードディスク装置１４０と、ＭＰＥＧデコーダ１３６と、出力部１３８とを含む。システム制御回路１１０はメモリ１１２を含む。ハードディスク装置１４０は、ハードディスク１４４と情報記録ヘッド１４２とを含む。
【００２３】
データ記録再生装置１００は、たとえばハードディスクビデオレコーダであるが、これに限られない。たとえばハードディスクを備えるＰＣ（Personal Computer）であってもよい。この場合、各部の動作は、システム制御回路１１０からの信号の代わりに、ＣＰＵ（Central  Processing Unit）からの指令に基づいて制御される。
【００２４】
データ記録再生装置１００は、テレビ１５０に接続される。なお、テレビ１５０に代えて、表示専用モニタなどがデータ記録再生装置１００に接続され、表示装置として使用されてもよい。
【００２５】
システム制御回路１１０は、後述するように信号の入出力を実施しながら、データ記録再生装置１００の全回路および全装置の動作を制御する。この動作には、受信された映像音声データの記録、記録されたデータの読み出しなどが含まれる。本実施の形態において、この制御は、メモリ１１２に予め記録されたプログラムに基づいて実施される。このプログラムは、予め製造されたシステム制御回路１１０に、別途作成されたプログラムを複写することで記録される。
【００２６】
システム制御回路１１０は、利用者の指示を検出すると、所定の画像を表示させるための信号を生成する。この画像には、録画開始時刻あるいは終了時刻を設定する画像などが含まれる。
【００２７】
ＯＳＤ画像生成回路１１４は、操作部１２２あるいは受光部１２４を介して取得した利用者の指示に基づいて、あるいはシステム制御回路１１０において予め定められた条件に基づいて、メッセージ画像を表わす信号を生成する。このメッセージ画像とは、チャネル表示、録画設定画像表示、音量表示その他、文字を表示する画像のことである。メッセージ画像は、ハードディスク装置１４０に記録されている画像とは異なる画像である。ＯＳＤ画像生成回路１１４は、このようなメッセージ画像の信号を生成すると、出力部１３８に出力する。この信号が出力されると、その信号が表わすメッセージ画像がテレビ１５０に表示される。ＯＳＤ画像生成回路１１４は、メッセージ画像を表わす信号を生成することにより、文字を表示する信号を生成することになる。
【００２８】
操作部１２２は、利用者が入力した指示を検出する。本実施の形態における操作部１２２は、データ記録再生装置１００の前面のパネルに設けられた入力ボタンであるが、これに限られない。指示が検出されると、その指示に対応する処理を実行させるための信号が生成される。この信号は、システム制御回路１１０に出力される。
【００２９】
受光部１２４は、後述するリモコン端末から発せられたリモコン信号を受信する。この信号は、システム制御回路１１０に出力される。リモコン信号は、制御を表わす情報である。これにより、受光部１２４は、受信によってユーザの指示を受付けることになる。
【００３０】
計時回路１２６は、データ記録再生装置１００における時間を計測する。計時回路１２６は、外部から供給される電源に基づいて作動するが、一時的な停電があっても、予め設定された時間は作動し続けることができる。計時回路１２６は、時刻データをシステム制御回路１１０に出力する。また、システム制御回路１１０からの制御信号がこの回路に入力される。計時回路１２６の時刻は、この信号に基づいて補正される。
【００３１】
表示部１２８は、データ記録再生装置１００に関する情報を表示する。この情報には、時間、受信チャネル、カウンタ、録画／再生モードその他の項目が含まれる。本実施の形態における表示部１２８は、データ記録再生装置１００の前面に形成されたインジケータである。ただし、表示部１２８はその他の装置であってもよい。
【００３２】
チューナ１３０には、アンテナ１９０が接続される。チューナ１３０は、アナログ放送、デジタル放送などにより放送される映像音声データ（すなわち映像を含む映像情報）を受信することができるチューナであればよい。チューナ１３０により受信された電波は、ＭＰＥＧエンコーダ１３２に出力される。また、チューナ１３０は、システム制御回路１１０からの信号に基づいて受信チャネルを切換ることができる。
【００３３】
ＭＰＥＧエンコーダ１３２は、チューナ１３０から入力された信号をデジタル信号（ＭＰＥＧ符号）に変換して、システム制御回路１１０に出力する。
【００３４】
ハードディスク装置１４０は、システム制御回路１１０からの信号に基づいて、ＭＰＥＧ符号化されたデータ（すなわちチューナ１３０およびアンテナ１９０が受信した情報）を記録したり、既に記録されたデータを読み出したりする。ハードディスク装置１４０は、情報記録ヘッド１４２と、ハードディスク１４４とを含む。情報記録ヘッド１４２は、記録位置に基づき映像情報を読出し可能なハードディスク１４４に対して、チューナ１３０およびアンテナ１９０が受信した映像情報を記録し、かつハードディスク１４４に記録された映像情報を読出す。ハードディスク１４４は、複数の領域を含む。ハードディスク１４４は、その複数の領域のいずれかに、チューナ１３０およびアンテナ１９０が受信した情報を記録する媒体である。複数の領域には、録画領域と、タイムシフト領域とが含まれる。録画領域とは、タイムシフト領域とは別に、映像情報を記録する領域のことである。タイムシフト領域とは、映像情報を一定の周期で上書きして記録する領域のことである。
【００３５】
ＭＰＥＧデコーダ１３６は、ハードディスク装置１４０が読み出した、ＭＰＥＧ符号化されたデータに基づいて、映像を表示する信号を生成する。ＭＰＥＧデコーダ１３６は、生成した信号を出力部１３８に出力する。
【００３６】
出力部１３８は、ＭＰＥＧデコーダ１３６が生成した信号、およびＯＳＤ画像生成回路１１４が生成した信号を合成する。出力部１３８は、合成した信号をテレビ１５０に出力回路でもある。これにより、テレビ１５０には、ＯＳＤ画像生成回路１１４により生成された画像メッセージと、ハードディスク装置１４０から読み出された映像とが表示される。なお、本実施の形態の場合、データ記録再生装置１００は、テレビ１５０に接続される。テレビ１５０に接続されているので、出力部１３８は、信号を合成した後、外部の装置であるテレビ１５０に信号を出力する。しかしながら、データ記録再生装置１００にディスプレイが内蔵されている場合、出力部１３８は、信号を合成した後、合成された信号を内蔵されたディスプレイに主力してもよい。
【００３７】
図２を参照して、操作装置２２０は、電源キー２２１と、決定キー２２２と、録画キー２２３と、再生キー２２４と、停止キー２２５と、一時停止キー２２６と、巻戻しキー２２７と、早送りキー２２８と、テンキー２２９とを含む。
【００３８】
電源キー２２１は、データ記録再生装置１００の電源のＯＮ−ＯＦＦを切替える。決定キー２２２は、ユーザの意思が確定した旨の情報を受付ける。録画キー２２３は、録画を指令する。再生キー２２４は、再生を指令する。停止キー２２５は、録画中に録画の停止を指令する。また、停止キー２２５は、再生中に再生の停止を指令するキーでもある。一時停止キー２２６は、録画画像の再生動作を一時停止させる。また、一時停止キー２２６は、一時停止中の再生動作を再開させるキーでもある。巻戻しキー２２７は、録画された画像の再生位置を巻戻させる。早送りキー２２８は、録画された画像の再生位置を早送りさせる。テンキー２２９は、「０」〜「９」の各数字に対応して設けられている。テンキー２２９を押すことにより、「０」〜「９」の各数字に対応する、放送チャンネルが指定される。
【００３９】
図３を参照して、データ記録再生装置１００で実行されるプログラムは、メッセージの表示に関し、以下のような制御構造を有する。
【００４０】
ステップ１００（以下、ステップをＳと略す。）にて、システム制御回路１１０は、テレビ１５０に映像を表示させる。具体的には、まずシステム制御回路１１０は、ＭＰＥＧエンコーダ１３２が出力した信号を受付ける。これにより、映像を含む情報が受信される。次にシステム制御回路１１０は、受付けた信号をＭＰＥＧデコーダ１３６に出力する。ＭＰＥＧデコーダ１３６は、出力されたデータを復号化して出力部１３８に出力する。これにより、テレビ１５０の画面に映像が表示される。
【００４１】
Ｓ１２０にて、システム制御回路１１０は、システム制御回路１１０自身の内部に記録された録画フラグの値が「１」であることに基づき、録画するか否かを判断する。操作装置２２０から送信されたリモコン信号が、録画キー２２３が押されたことを表わす信号の場合、この録画フラグの値は「０」から「１」に更新される。操作装置２２０から送信されたリモコン信号が、停止キー２２５が押されたことを表わす信号の場合、この録画フラグの値は「１」から「０」に更新される。録画すると判断した場合（Ｓ１２０にてＹＥＳ）、処理はＳ１４０へと移される。もしそうでないと（Ｓ１２０にてＮＯ）、処理はＳ１６０へと移される。
【００４２】
Ｓ１４０にて、システム制御回路１１０は、チューナ１３０を用いて受信した映像（具体的には映像音声データ）をハードディスク装置１４０の録画領域に記録する。その間もシステム制御回路１１０は、受信した映像の表示を継続させる。Ｓ１６０にて、システム制御回路１１０は、チューナ１３０を用いて受信した映像（具体的には映像音声データ）をハードディスク装置１４０のタイムシフト領域に記録する。Ｓ１４０と同様に、その間もシステム制御回路１１０は、受信した映像の表示を継続させる。
【００４３】
Ｓ１８０にて、システム制御回路１１０は、停止キー２２５が押されたか否かを判断する。システム制御回路１１０は、リモコン信号が、停止キー２２５が押されたことを表わす信号であるか否かに基づき、これを判断する。停止キー２２５が押されたと判断した場合（Ｓ１８０にてＹＥＳ）、処理はＳ２００へと移される。もしそうでないと（Ｓ１８０にてＮＯ）、処理はＳ１２０へと移される。
【００４４】
Ｓ２００にて、システム制御回路１１０は、テレビ１５０に表示中の映像は再生中の映像か否かを判断する。本実施の形態の場合、システム制御回路１１０は、メモリ１１２に記録された映像の再生位置を表わす値に基づいて、再生中の映像か否かを判断する。再生中の映像と判断した場合（Ｓ２００にてＹＥＳ）、処理はＳ２２０へと移される。もしそうでないと（Ｓ２００にてＮＯ）、処理はＳ２４０へと移される。
【００４５】
Ｓ２２０にて、システム制御回路１１０は、ＯＳＤ画像生成回路１１４に信号を出力することにより、テレビ１５０の画面に「早送りしますか？」および「Ｙｅｓ：ＯＫ」とのメッセージを「３秒」の間表示させる。
【００４６】
Ｓ２４０にて、システム制御回路１１０は、受信中の映像をハードディスク装置１４０の録画領域に記録中か否かを判断する。本実施の形態の場合、システム制御回路１１０は、メモリ１１２に記録された映像の記録位置を表わす値に基づいて、録画領域に記録中か否かを判断する。録画領域に記録中と判断した場合（Ｓ２４０にてＹＥＳ）、処理はＳ２６０へと移される。もしそうでないと（Ｓ２４０にてＮＯ）、処理はＳ２８０へと移される。
【００４７】
Ｓ２６０にて、システム制御回路１１０は、テレビ１５０の映像を停止させる。本実施の形態の場合、システム制御回路１１０は、ＭＰＥＧデコーダ１３６への信号の値を「０」のみとすることにより、映像を停止させる。Ｓ２８０にて、システム制御回路１１０は、ＯＳＤ画像生成回路１１４に信号を出力することにより、テレビ１５０に無効メッセージを表示させる。
【００４８】
Ｓ３００にて、システム制御回路１１０は、「早送りしますか？」などのメッセージ中に、操作装置２２０の決定キー２２２が押されたか否かを判断する。決定キー２２２が押されたと判断した場合（Ｓ３００にてＹＥＳ）、処理はＳ３２０へと移される。もしそうでないと（Ｓ３００にてＮＯ）、処理はＳ１００へと移される。
【００４９】
Ｓ３２０にて、システム制御回路１１０は、ハードディスク１４４のタイムシフト領域に記録された最新の映像をＭＰＥＧデコーダ１３６に出力することで、テレビ１５０に映像をライブで表示させる。
【００５０】
Ｓ３４０にて、システム制御回路１１０は、受信中の映像をハードディスク装置１４０の録画領域に記録中か否かを判断する。録画領域に記録中と判断した場合（Ｓ３４０にてＹＥＳ）、処理はＳ３６０へと移される。もしそうでないと（Ｓ３４０にてＮＯ）、処理は終了する。Ｓ３６０にて、システム制御回路１１０は、ＯＳＤ画像生成回路１１４に信号を出力することにより、テレビ１５０の画面に録画の継続を確認するメッセージ（本実施の形態の場合、そのメッセージとは、“Ｇｏ  Ｔｏ  Ｌｉｖｅ？”である。）を表示させる。
【００５１】
Ｓ３８０にて、システム制御回路１１０は、操作装置２２０の停止キー２２５が押されたか否かを判断する。操作装置２２０の停止キー２２５が押されたと判断した場合（Ｓ３８０にてＹＥＳ）、処理はＳ４００へと移される。もしそうでないと（Ｓ３８０にてＮＯ）、処理は終了する。Ｓ４００にて、システム制御回路１１０は、受信中の映像のハードディスク装置１４０の録画領域への録画を停止する。本実施の形態の場合、録画領域への録画の停止とともに、システム制御回路１１０は、受信中の映像のタイムシフト領域への録画を開始する。
【００５２】
以上のような構造およびフローチャートに基づく、データ記録再生装置１００の動作について説明する。
【００５３】
［録画領域での追っかけ再生中に録画を停止し、かつ映像をライブで表示させる場合の動作］
録画領域での追っかけ再生中に録画を停止し、かつ映像をライブで表示させる場合の表示処理について説明する。
【００５４】
システム制御回路１１０は、予め受信した情報に基づき、テレビ１５０に映像を表示させる（Ｓ１００）。図４にこの時のテレビ１５０の表示例を示す。映像が表示されると、システム制御回路１１０は、録画するか否かを判断する（Ｓ１２０）。この場合、録画すると判断するので（Ｓ１２０にてＹＥＳ）、システム制御回路１１０は、情報記録ヘッド１４２を用いて、チューナ１３０を用いて受信した映像を、ハードディスク装置１４０の録画領域に記録する（Ｓ１４０）。その記録の合間に、情報記録ヘッド１４２が記録されたデータを読出す。読出されたデータは、ＭＰＥＧデコーダ１３６に出力される。ＭＰＥＧデコーダ１３６は、入力されたデータに基づき、映像を表示する信号を生成する。映像が録画領域に記録され始めると、システム制御回路１１０は、操作装置２２０の停止キー２２５が押されたか否かを判断する（Ｓ１８０）。この場合、当面は停止キー２２５が押されないので（Ｓ１８０にてＮＯ）、Ｓ１２０〜Ｓ１４０の処理を経て、システム制御回路１１０は、再び操作装置２２０の停止キー２２５が押されたか否かを判断する（Ｓ１８０）。最終的には停止キー２２５が押されるので（Ｓ１８０にてＹＥＳ）、システム制御回路１１０は、テレビ１５０に表示中の映像は再生中の映像か否かを判断する（Ｓ２００）。この場合、再生中の映像と判断されるので（Ｓ２００にてＹＥＳ）、システム制御回路１１０は、テレビ１５０の画面に「早送りしますか？」および「Ｙｅｓ：ＯＫ」とのメッセージを「３秒」の間表示させる（Ｓ２２０）。図５にこの時のテレビ１５０の表示例を示す。このようにして、システム制御回路１１０は、録画領域に、最新の情報が記録されている場合に、受光部１２４が所定の制御を表わす情報を受付けると、チューナ１３０およびアンテナ１９０が受信した最新の情報を表示させるか否かを確認する情報を表示させるように、テレビ１５０を制御する。メッセージが表示されると、システム制御回路１１０は、「早送りしますか？」などのメッセージ中に、操作装置２２０の決定キー２２２が押されたか否かを判断する（Ｓ３００）。この場合、決定キー２２２が押されるので（Ｓ３００にてＹＥＳ）、システム制御回路１１０は、テレビ１５０に映像をライブで表示させる（Ｓ３２０）。図６を参照して、この時テレビ１５０に表示される映像の変化を説明する。決定キー２２２が押される直前までテレビ１５０に表示されていた映像は、図６の「録画領域」の「Ｐ」の位置に記録された映像である。一方、決定キー２２２が押された直後にテレビ１５０に表示される映像は、図６の「録画領域」の「Ｒ」の位置に記録された映像である。なお、「Ｌ」の記号は、この時点で受信中の画像が記録される位置を示す符号である。録画領域に映像を記録する場合、受信中の映像は直ちにテレビ１５０に表示されるので、「Ｒ」の記号が付される位置と「Ｌ」の記号が付される位置とは同一である。図７にこの時のテレビ１５０の表示例を示す。映像がライブで表示される直前とはまったく異なる映像が表示される。映像がライブで表示されると、システム制御回路１１０は、受信中の映像をハードディスク装置１４０の録画領域に記録中か否かを判断する（Ｓ３４０）。この場合、録画領域に記録中なので（Ｓ３４０にてＹＥＳ）、システム制御回路１１０は、テレビ１５０の画面に録画の継続を確認するメッセージを表示させる（Ｓ３６０）。このような表示は、ＯＳＤ画像生成回路１１４が生成した信号と、ＭＰＥＧデコーダ１３６が生成した信号とを、出力部１３８が合成し、かつテレビ１５０に出力することにより実現する。図８にこの時のテレビ１５０の表示例を示す。このようにして、システム制御回路１１０は、情報記録ヘッド１４２が、タイムシフト領域とは異なる録画領域に映像情報を記録している場合であって、情報記録ヘッド１４２が、録画領域から映像情報を読出している場合に、受光部１２４が所定の指示を受付けると、映像情報を、タイムシフト領域に記録するか否かを確認する、確認信号を生成するように、ＯＳＤ画像生成回路１１４を制御することになる。メッセージが表示されると、システム制御回路１１０は、操作装置２２０の停止キー２２５が押されたか否かを判断する（Ｓ３８０）。このとき停止キー２２５を押すことは、映像を含む情報が記録される領域をタイムシフト領域に変更する旨の指示を受光部１２４に与えることになる。この場合、操作装置２２０の停止キー２２５が押されたと判断するので（Ｓ３８０にてＹＥＳ）、システム制御回路１１０は、受信中の映像のハードディスク装置１４０の録画領域への録画を停止する（Ｓ４００）。本実施の形態の場合、録画領域への録画の停止とともに、システム制御回路１１０は、受信中の映像のタイムシフト領域への録画を開始する。このようにして、システム制御回路１１０は、確認信号が生成された後に、受光部１２４が、映像情報をタイムシフト領域に記録する旨の指示を受付けると、映像情報をタイムシフト領域に記録するように、情報記録ヘッド１４２を制御することになる。
【００５５】
［録画領域での追っかけ再生中に録画を継続し、かつ映像をライブで表示させる場合の動作］
録画領域での追っかけ再生中に録画を継続し、かつ映像をライブで表示させる場合の表示処理について説明する。
【００５６】
映像がライブで表示されると、システム制御回路１１０は、操作装置２２０の停止キー２２５が押されたか否かを判断する（Ｓ３８０）。この場合、操作装置２２０の停止キー２２５が押されなかったと判断するので（Ｓ３８０にてＮＯ）、システム制御回路１１０は、メッセージの表示処理を終了する。ただし、システム制御回路１１０は、受信中の映像の録画領域への録画とライブ表示とを継続する。
【００５７】
［タイムシフト領域での追っかけ再生中に映像をライブで表示させる場合の動作］
タイムシフト領域での追っかけ再生中に映像をライブで表示させる場合の表示処理について説明する。
【００５８】
システム制御回路１１０は、操作装置２２０から送信されたリモコン信号が、録画キー２２３が押されたことを表わす信号であるか否かに基づき、録画するか否かを判断する（Ｓ１２０）。この場合、録画しないと判断するので（Ｓ１２０にてＮＯ）、システム制御回路１１０は、チューナ１３０を用いて受信した映像をハードディスク装置１４０のタイムシフト領域に記録する（Ｓ１６０）。映像がタイムシフト領域に記録され始めると、Ｓ１８０〜Ｓ２００の処理を経て、システム制御回路１１０は、テレビ１５０の画面にメッセージを「３秒」の間表示させる（Ｓ２２０）。この時のテレビ１５０の表示も上述した図５と同様である。メッセージが表示されると、Ｓ３００の処理を経て、システム制御回路１１０は、テレビ１５０に映像をライブで表示させる（Ｓ３２０）。図９を参照して、この時テレビ１５０に表示される映像の変化を説明する。決定キー２２２が押される直前までテレビ１５０に表示されていた映像は、図９の「タイムシフト領域」の「Ｐ」の位置に記録された映像である。一方、決定キー２２２が押された直後にテレビ１５０に表示される映像は、図９の「タイムシフト領域」の「Ｒ」の位置に記録された映像である。なお、「Ｌ」の記号は、この時点で受信中の画像が記録される位置を示す符号である。タイムシフト領域に映像を記録する場合、受信中の映像をいったんハードディスク１４４に記録することから、「Ｒ」の記号が付される位置と「Ｌ」の記号が付される位置とは異なる。。映像がライブで表示されると、システム制御回路１１０は、受信中の映像をハードディスク装置１４０の録画領域に記録中か否かを判断する（Ｓ３４０）。この場合、タイムシフト領域に記録中なので（Ｓ３４０にてＮＯ）、システム制御回路１１０は、メッセージの表示処理を終了する。ただし、システム制御回路１１０は、受信中の映像のタイムシフト領域への録画とライブ表示とを継続する。
【００５９】
［タイムシフト領域でのライブ表示中に停止ボタンが押された場合の動作］
タイムシフト領域でのライブ表示中に停止ボタンが押された場合の表示処理について説明する。
【００６０】
システム制御回路１１０は、テレビ１５０に表示中の映像は再生中の映像か否かを判断する（Ｓ２００）。この場合、ライブ表示中と判断されるので（Ｓ２００にてＮＯ）、システム制御回路１１０は、受信中の映像を録画領域に記録中か否かを判断する（Ｓ２４０）。この場合、システム制御回路１１０は、受信中の映像をタイムシフト領域に記録中なので（Ｓ２４０にてＮＯ）、システム制御回路１１０は、ＯＳＤ画像生成回路１１４に信号を出力することにより、テレビ１５０に無効メッセージ（すなわち、タイムシフト領域に記録中である旨のメッセージ）を表示させる（Ｓ２８０）。図１０に、この時のテレビ１５０の表示例を示す。システム制御回路１１０は、情報記録ヘッド１４２が、タイムシフト領域とは異なる録画領域に映像情報を記録している場合であって、情報記録ヘッド１４２が、録画領域から映像情報を読出している場合に、受光部１２４が所定の指示を受付けると、映像情報を、タイムシフト領域に記録するか否かを確認する、確認信号を生成するように、ＯＳＤ画像生成回路１１４を制御することになる。このようにして、システム制御回路１１０は、情報記録ヘッド１４２がタイムシフト領域に映像情報を記録している場合に、受光部１２４が所定の指示を受付けると、情報記録ヘッド１４２がタイムシフト領域に映像情報を記録している旨の信号を生成するように、ＯＳＤ画像生成回路１１４を制御することになる。
【００６１】
以上のようにして、本実施の形態に係るデータ記録再生装置は、再生中に停止キーを押すと、ライブ状態に移行するか否かを確認するメッセージを表示させることができる。また、メッセージを出力中に、決定キーを押すとテレビをライブ状態にすることができる。ハードディスクビデオレコーダのユーザは、自らが観ている映像が後日再生できるように録画されているか否かを誤りやすい。その理由は、上述した追っかけ再生機能により、後日再生できる領域に録画されているか否かに関わらず時間を遡って映像を表示させることができる点にある。これに対し、本実施の形態に係るデータ記録再生装置を用いると、ユーザは自らが観ている映像がライブ映像か否か（逆に言えば、自らが観ている映像が後日再生できる領域に録画されているか否か）を容易に知ることができる。その結果、受信された情報がいずれの領域に記録されているかが明確になるデータ記録再生装置を提供することができる。
【００６２】
なお、ライブ状態に移行するか否かを確認するメッセージと、録画の継続を確認するメッセージとは、必ずしも分けて表示させる必要はない。たとえば、これらを同時に表示させてもよい。その場合、テレビ１５０の画面に表示されるメッセージは、たとえば録画を停止した上でライブ映像を表示させるか否かを確認するメッセージであってもよい。あるいは、録画を継続しながらライブ映像を表示させるか否かを確認するメッセージであってもよい。これらの場合、データ記録再生装置は、操作装置２２０から送信される信号により、ユーザの指定を受付けることができる。
【００６３】
また、データ記録再生装置は、必ずしもハードディスクに映像情報を記録する必要がない。ハードディスクに代えて、光ディスクなどのデータ記録再生装置に着脱可能な記録媒体や、ＤＲＡＭ（Dynamic Random Access Memory）などのいわゆる固体メモリに映像情報を記録させてもよい。
【００６４】
さらに、データ記録再生装置がハードディスクを備えるコンピュータである場合、上述した実施の形態においてメモリ１１２に記録されたプログラムは、コンピュータのメモリに記録されてもよい。図１１を参照して、データ記録再生装置１００を実現するコンピュータの制御ブロック図を示す。コンピュータは、ＣＰＵ３１と、ハードディスク（ＨＤ）３３と、表示部３４と、ＲＡＭ（Random Access Memory）３５と、通信部３６と、ＣＤ−ＲＷ（Compact Disk ReWritable）ドライブ３７と、操作部３８とを含む。ＣＰＵ３１は、当該コンピュータの全体的な動作を制御する。ＣＰＵ３１は、入出力インターフェイス（Ｉ／Ｏ）３２を介して、ＨＤ３３、表示部３４、ＲＡＭ３５、通信部３６、ＣＤ−ＲＷドライブ３７、および操作部３８と接続されている。ＨＤ３３は、ファイルおよびＣＰＵ３１の動作プログラムを含む種々の情報を記録する。表示部３４は、液晶ディスプレイなどである。ＲＡＭ３５は、ＣＰＵ３１のワークエリアである。通信部３６は、ネットワーク２を介して他の装置とデータを送受信する。ＣＤ−ＲＷドライブ３７は、外部から挿入されるＣＤ−ＲＷ３００などの記録媒体に記録された情報を読取り、かつ、当該記録媒体の情報を書換える。ＣＤ−ＲＷドライブ３７は、入出力インターフェイス３２とインターフェイスケーブル３９で接続されている。操作部３８は、ユーザが情報を入力するためのキーボードなどである。このとき、データ記録再生装置は、コンピュータハードウェアとＣＰＵ３１により実行されるソフトウェアとにより実現される。一般的にこうしたソフトウェアは、ＣＤ−ＲＷ３００などの記録媒体に格納されて流通し、ＣＤ−ＲＷドライブ３７などにより記録媒体から読込まれる。ＣＰＵ３１はＣＤ−ＲＷドライブ３７に読込まれたソフトウェアを実行する。図１１に示したハードウェア自体は一般的なものである。したがって、この場合、発明の最も本質的な部分はＣＤ−ＲＷ３００などの記録媒体に記録されたソフトウェアである。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に係るデータ記録再生装置の制御ブロック図である。
【図２】本発明の実施の形態に係る操作装置の外形図である。
【図３】本発明の実施の形態に係る表示処理の制御の手順を示すフローチャートである。
【図４】本発明の実施の形態に係る追っかけ再生中の映像の例を表わす図である。
【図５】本発明の実施の形態に係るライブ映像を表示するか否かを確認するメッセージの表示例を表わす図である。
【図６】本実施の形態に係る録画領域への録画中に、テレビに表示される映像の変化を説明する図である。
【図７】本発明の実施の形態に係るライブ映像を表示中の映像の例を表わす図である。
【図８】本発明の実施の形態に係る録画の継続を確認するメッセージの表示例を表わす図である。
【図９】本実施の形態に係るタイムシフト領域への録画中に、テレビに表示される映像の変化を説明する図である。
【図１０】本発明の実施の形態に係るライブ映像を表示中の旨のメッセージの表示例を表わす図である。
【図１１】本発明の実施の形態の変形例に係るコンピュータの制御ブロック図である。
【符号の説明】
【００６７】
３１  ＣＰＵ、３２  入出力インターフェイス、３３  ハードディスク、３４  表示部、３５  ＲＡＭ、３６  通信部と、３７  ＣＤ−ＲＷドライブ、３８  操作部、３９  インターフェイスケーブル、１００  データ記録再生装置、１１０  システム制御回路、１１２  メモリ、１１４  ＯＳＤ画像生成回路、１２２  操作部、１２４  受光部、１２６  計時回路、１２８  表示部、１３０  チューナ、１３２  ＭＰＥＧエンコーダ、１３６  ＭＰＥＧデコーダ、１３８  出力部、１４０  ハードディスク装置、１４２  情報記録ヘッド、１４４  ハードディスク、１５０  テレビ、１９０  アンテナ、２２０  操作装置、２２１  電源キー、２２２  決定キー、２２３  録画キー、２２４  再生キー、２２５  停止キー、２２６  一時停止キー、２２７  巻戻しキー、２２８  早送りキー、２２９  テンキー、３００  ＣＤ−ＲＷ。
【図１】
2005151209.tif 000003
【図２】
2005151209.tif 000004
【図３】
2005151209.tif 000005
【図４】
2005151209.tif 000006
【図５】
2005151209.tif 000007
【図６】
2005151209.tif 000008
【図７】
2005151209.tif 000009
【図８】
2005151209.tif 000010
【図９】
2005151209.tif 000011
【図１０】
2005151209.tif 000012
【図１１】
2005151209.tif 000013